(57)【特許請求の範囲】
【請求項１】
固定ナットに装着される固定ナット用防犯具と、該固定ナット用防犯具の装着状態を解
除する装着解除具とから構成される固定ナット用着脱式防犯具であって、
前記固定ナット用防犯具は、
対象物に固定されているボルトが挿通可能な被固定物を当該ボルトと螺合する前記固定
ナットで前記ボルトに固定した際、前記固定ナットの下端面と前記被固定物の表面との間
に空隙を形成するスペース形成手段と、
天板部と該天板部の周縁部から下方に延在する複数枚の側壁部とを有し、前記固定ナッ
トに冠着する冠着部材であって、前記複数枚の側壁部の下端部には、前記固定ナットに冠
着した際、前記被固定物の表面と前記固定ナットの下端面との間に形成されている空隙部
分に挿入可能な冠着用係止爪が形成されている冠着部材と、
前記固定ナットに冠着した前記冠着部材の外側面部を覆う中空円筒状の周壁部材であっ
て、該周壁部材の内周壁面の下端部には、内側方向に突設され前記冠着部材の側壁部を押
圧する円状突起部が形成され、前記内周壁面の上端部には、内側方向に突設された円状鍔
部であって複数個の切欠部を有する円状鍔部が形成されている周壁部材とから構成され、
前記冠着部材には、前記周壁部材の前記円状突起部の上面部分に係合する周壁部材用係
止爪であって、前記天板部の周縁部から下方に延在する周壁部材用係止爪が形成され、
前記周壁部材の内側には、当該周壁部材の内径と略同じ外径を有し、内径が前記円状突
起部の内径以下であるリングが遊嵌状態で配設され、
前記周壁部材の前記円状突起部の上縁部と前記リングとの間には、前記リングと略同じ
内径および外径を有する係合環部材であって、前記冠着部材の前記周壁部材用係止爪とこ
れに隣接している前記側壁部によって形成される隙間または相隣接している２つの前記周
壁部材用係止爪によって形成される隙間に挿入可能で且つ前記隙間の上端部に当接可能な
複数個の係合突起部が形成された係合環部材が遊嵌状態で配設され、
前記装着解除具は、
本体と、該本体から鉛直方向下方に延在し且つ前記円状鍔部の複数個の前記切欠部のそ
れぞれに上方から嵌入可能な複数個の押下脚部と、前記本体の上部に配設された取手部と
から構成され、
前記押下脚部は、前記切欠部に嵌入され前記係合環部材が前記円状突起部の上縁部に当
接するまで押し下げられた状態で、前記リングの上縁部と前記円状鍔部の上縁部との距離
以上となる長さを有し、且つ、両側辺の一方の側に前記円状鍔部の下縁部に相当する位置
から上方に向かって当該円状鍔部の厚み以上の長さを有する切込部が形成されていること
を特徴とする固定ナット用着脱式防犯具。
【請求項２】
固定ナットに装着される固定ナット用防犯具と、該固定ナット用防犯具の装着状態を解
除する装着解除具とから構成される固定ナット用着脱式防犯具であって、
前記固定ナット用防犯具は、
対象物に固定されているボルトが挿通可能な被固定物を当該ボルトと螺合する固定ナッ
トで前記ボルトに固定した際、前記固定ナットの周辺方向に向かって延在する鍔部を有し
、且つ、当該鍔部と前記被固定物の表面との間に空隙が形成されるような状態で前記固定
ナットの下端部に装着可能な鍔部材と、
天板部と該天板部の周縁部から下方に延在する複数枚の側壁部とを有し、前記鍔部材が
装着されている前記固定ナットに冠着する冠着部材であって、前記複数枚の側壁部の下端
部には、前記固定ナットおよび前記鍔部材に冠着した際、前記被固定物の表面と前記鍔部
材の鍔部との間に形成されている空隙部分に挿入可能な冠着用係止爪が形成されている冠
着部材と、
前記固定ナットに冠着した前記冠着部材の外側面部を覆う中空円筒状の周壁部材であっ
て、該周壁部材の内周壁面の下端部には、内側方向に突設され前記冠着部材の側壁部を押
圧する円状突起部が形成され、前記内周壁面の上端部には、内側方向に突設された円状鍔
部であって複数個の切欠部を有する円状鍔部が形成されている周壁部材とから構成され、
前記冠着部材には、前記周壁部材の前記円状突起部の上面部分に係合する周壁部材用係
止爪であって、前記天板部の周縁部から下方に延在する周壁部材用係止爪が形成され、
前記周壁部材の内側には、当該周壁部材の内径と略同じ外径を有し、内径が前記円状突
起部の内径以下であるリングが遊嵌状態で配設され、
前記周壁部材の前記円状突起部の上縁部と前記リングとの間には、前記リングと略同じ
内径および外径を有する係合環部材であって、前記冠着部材の前記周壁部材用係止爪とこ
れに隣接している前記側壁部によって形成される隙間または相隣接している２つの前記周
壁部材用係止爪によって形成される隙間に挿入可能で且つ前記隙間の上端部に当接可能な
複数個の係合突起部が形成された係合環部材が遊嵌状態で配設され、
前記装着解除具は、
本体と、該本体から鉛直方向下方に延在し且つ前記円状鍔部の複数個の前記切欠部のそ
れぞれに上方から嵌入可能な複数個の押下脚部と、前記本体の上部に配設された取手部と
から構成され、
前記押下脚部は、前記切欠部に嵌入され前記係合環部材が前記円状突起部の上縁部に当
接するまで押し下げられた状態で、前記リングの上縁部と前記円状鍔部の上縁部との距離
以上となる長さを有し、且つ、両側辺の一方の側に前記円状鍔部の下縁部に相当する位置
から上方に向かって当該円状鍔部の厚み以上の長さを有する切込部が形成されていること
を特徴とする固定ナット用着脱式防犯具。
【請求項３】
固定ボルトの頭部に装着される固定ボルト用防犯具と、該固定ボルト用防犯具の装着状
態を解除する装着解除具とから構成される固定ボルト用着脱式防犯具であって、
前記固定ボルト用防犯具は、
前記固定ボルトが挿通可能な被固定物を当該固定ボルトと螺合する雌ネジ部を有する対
象物に前記固定ボルトで固定した際、前記固定ボルトの頭部の下端面と前記被固定物の表
面との間に空隙を形成するスペース形成手段と、
天板部と該天板部の周縁部から下方に延在する複数枚の側壁部とを有し、前記固定ボル
トの頭部に冠着する冠着部材であって、前記複数枚の側壁部の下端部には、前記固定ボル
トの頭部に冠着した際、前記被固定物の表面と前記固定ボルトの頭部の下端面との間に形
成されている空隙部分に挿入可能な冠着用係止爪が形成されている冠着部材と、
前記固定ボルトの頭部に冠着した前記冠着部材の外側面部を覆う中空円筒状の周壁部材
であって、該周壁部材の内周壁面の下端部には、内側方向に突設され前記冠着部材の側壁
部を押圧する円状突起部が形成され、前記内周壁面の上端部には、内側方向に突設された
円状鍔部であって複数個の切欠部を有する円状鍔部が形成されている周壁部材とから構成
され、
前記冠着部材には、前記周壁部材の前記円状突起部の上面部分に係合する周壁部材用係
止爪であって、前記天板部の周縁部から下方に延在する周壁部材用係止爪が形成され、
前記周壁部材の内側には、当該周壁部材の内径と略同じ外径を有し、内径が前記円状突
起部の内径以下であるリングが遊嵌状態で配設され、
前記周壁部材の前記円状突起部の上縁部と前記リングとの間には、前記リングと略同じ
内径および外径を有する係合環部材であって、前記冠着部材の前記周壁部材用係止爪とこ
れに隣接している前記側壁部によって形成される隙間または相隣接している２つの前記周
壁部材用係止爪によって形成される隙間に挿入可能で且つ前記隙間の上端部に当接可能な
複数個の係合突起部が形成された係合環部材が遊嵌状態で配設され、
前記装着解除具は、
本体と、該本体から鉛直方向下方に延在し且つ前記円状鍔部の複数個の前記切欠部のそ
れぞれに上方から嵌入可能な複数個の押下脚部と、前記本体の上部に配設された取手部と
から構成され、
前記押下脚部は、前記切欠部に嵌入され前記係合環部材が前記円状突起部の上縁部に当
接するまで押し下げられた状態で、前記リングの上縁部と前記円状鍔部の上縁部との距離
以上となる長さを有し、且つ、両側辺の一方の側に前記円状鍔部の下縁部に相当する位置
から上方に向かって当該円状鍔部の厚み以上の長さを有する切込部が形成されていること
を特徴とする固定ボルト用着脱式防犯具。
【請求項４】
固定ボルトの頭部に装着される固定ボルト用防犯具と、該固定ボルト用防犯具の装着状
態を解除する装着解除具とから構成される固定ボルト用着脱式防犯具であって、
前記固定ボルト用防犯具は、
固定ボルトが挿通可能な被固定物を当該固定ボルトと螺合する雌ネジ部を有する対象物
に前記固定ボルトで固定した際、前記固定ボルトの頭部の周辺方向に向かって延在する鍔
部を有し、且つ、当該鍔部と前期被固定物の表面との間に空隙が形成されるような状態で
前記固定ボルトの頭部の下端部に装着可能な鍔部材と、
天板部と該天板部の周縁部から下方に延在する複数枚の側壁部とを有し、前記鍔部材が
装着されている前記固定ボルトの頭部に冠着する冠着部材であって、前記複数枚の側壁部
の下端部には、前記固定ボルトの頭部および前記鍔部材に冠着した際、前記被固定物の表
面と前記鍔部材の鍔部との間に形成されている空隙部分に挿入可能な冠着用係止爪が形成
されている冠着部材と、
前記固定ボルトの頭部に冠着した前記冠着部材の外側面部を覆う中空円筒状の周壁部材
であって、該周壁部材の内周壁面の下端部には、内側方向に突設され前記冠着部材の側壁
部を押圧する円状突起部が形成され、前記内周壁面の上端部には、内側方向に突設された
円状鍔部であって複数個の切欠部を有する円状鍔部が形成されている周壁部材とから構成
され、
前記冠着部材には、前記周壁部材の前記円状突起部の上面部分に係合する周壁部材用係
止爪であって、前記天板部の周縁部から下方に延在する周壁部材用係止爪が形成され、
前記周壁部材の内側には、当該周壁部材の内径と略同じ外径を有し、内径が前記円状突
起部の内径以下であるリングが遊嵌状態で配設され、
前記周壁部材の前記円状突起部の上縁部と前記リングとの間には、前記リングと略同じ
内径および外径を有する係合環部材であって、前記冠着部材の前記周壁部材用係止爪とこ
れに隣接している前記側壁部によって形成される隙間または相隣接している２つの前記周
壁部材用係止爪によって形成される隙間に挿入可能で且つ前記隙間の上端部に当接可能な
複数個の係合突起部が形成された係合環部材が遊嵌状態で配設され、
前記装着解除具は、
本体と、該本体から鉛直方向下方に延在し且つ前記円状鍔部の複数個の前記切欠部のそ
れぞれに上方から嵌入可能な複数個の押下脚部と、前記本体の上部に配設された取手部と
から構成され、
前記押下脚部は、前記切欠部に嵌入され前記係合環部材が前記円状突起部の上縁部に当
接するまで押し下げられた状態で、前記リングの上縁部と前記円状鍔部の上縁部との距離
以上となる長さを有し、且つ、両側辺の一方の側に前記円状鍔部の下縁部に相当する位置
から上方に向かって当該円状鍔部の厚み以上の長さを有する切込部が形成されていること
を特徴とする固定ボルト用着脱式防犯具。
【請求項５】
固定ナットに装着される固定ナット用防犯具と、該固定ナット用防犯具の装着状態を解
除する装着解除具とから構成される固定ナット用着脱式防犯具であって、
前記固定ナット用防犯具は、
対象物に固定されているボルトが挿通可能な被固定物を当該ボルトと螺合する前記固定
ナットで前記ボルトに固定した際、前記固定ナットの下端面と前記被固定物の表面との間
に空隙を形成するスペース形成手段と、
天板部と該天板部の周縁部から下方に延在する複数枚の側壁部とを有し、前記固定ナッ
トに冠着する冠着部材であって、前記複数枚の側壁部の下端部には、前記固定ナットに冠
着した際、前記被固定物の表面と前記固定ナットの下端面との間に形成されている空隙部
分に挿入可能な冠着用係止爪が形成されている冠着部材と、
前記固定ナットに冠着した前記冠着部材の外側面部を覆う中空円筒状の周壁部材であっ
て、該周壁部材の内周壁面の下端部には、内側方向に突設され前記冠着部材の側壁部を押
圧する円状突起部が形成され、前記内周壁面の上端部には、内側方向に突設された円状鍔
部であって複数個の切欠部を有する円状鍔部が形成されている周壁部材とから構成され、
前記冠着部材には、前記周壁部材の前記円状突起部の上面部分に係合する周壁部材用係
止爪であって、前記天板部の周縁部から下方に延在する周壁部材用係止爪が形成され、
前記周壁部材の内側には、当該周壁部材の内径と略同じ外径を有し、内径が前記円状突
起部の内径以下であるリングが遊嵌状態で配設され、
前記周壁部材の前記円状突起部の上縁部と前記リングとの間には、前記リングと略同じ
内径および外径を有する係合環部材であって、前記冠着部材の前記周壁部材用係止爪とこ
れに隣接している前記側壁部によって形成される隙間または相隣接している２つの前記周
壁部材用係止爪によって形成される隙間に挿入可能で且つ前記隙間の上端部に当接可能な
複数個の係合突起部が形成された係合環部材が遊嵌状態で配設され、
前記装着解除具は、
本体と、該本体から鉛直方向下方に延在し且つ前記円状鍔部の複数個の前記切欠部のそ
れぞれに上方から嵌入可能な複数個の押下脚部と、前記本体の上部に主柱部を介して固定
された取手部と、前記主柱部が摺動可能な開口部を有する天板部と前記本体および前記押
下脚部を収納可能な円筒状の外筒部とからなるガイド部材と、該ガイド部材の天板部と前
記取手部との間に配設されたコイルバネとから構成され、
前記押下脚部は、前記切欠部に嵌入され前記係合環部材が前記円状突起部の上縁部に当
接するまで押し下げられた状態で、前記リングの上縁部と前記円状鍔部の上縁部との距離
以上となる長さを有し、且つ、両側辺の一方の側に前記円状鍔部の下縁部に相当する位置
から上方に向かって当該円状鍔部の厚み以上の長さを有する切込部が形成され、
前記ガイド部材の前記外筒部の下端部は、前記周壁部材の上部に嵌合可能な形状に形成
されていることを特徴とする固定ナット用着脱式防犯具。
【請求項６】
固定ナットに装着される固定ナット用防犯具と、該固定ナット用防犯具の装着状態を解
除する装着解除具とから構成される固定ナット用着脱式防犯具であって、
前記固定ナット用防犯具は、
対象物に固定されているボルトが挿通可能な被固定物を当該ボルトと螺合する固定ナッ
トで前記ボルトに固定した際、前記固定ナットの周辺方向に向かって延在する鍔部を有し
、且つ、当該鍔部と前記被固定物の表面との間に空隙が形成されるような状態で前記固定
ナットの下端部に装着可能な鍔部材と、
天板部と該天板部の周縁部から下方に延在する複数枚の側壁部とを有し、前記鍔部材が
装着されている前記固定ナットに冠着する冠着部材であって、前記複数枚の側壁部の下端
部には、前記固定ナットおよび前記鍔部材に冠着した際、前記被固定物の表面と前記鍔部
材の鍔部との間に形成されている空隙部分に挿入可能な冠着用係止爪が形成されている冠
着部材と、
前記固定ナットに冠着した前記冠着部材の外側面部を覆う中空円筒状の周壁部材であっ
て、該周壁部材の内周壁面の下端部には、内側方向に突設され前記冠着部材の側壁部を押
圧する円状突起部が形成され、前記内周壁面の上端部には、内側方向に突設された円状鍔
部であって複数個の切欠部を有する円状鍔部が形成されている周壁部材とから構成され、
前記冠着部材には、前記周壁部材の前記円状突起部の上面部分に係合する周壁部材用係
止爪であって、前記天板部の周縁部から下方に延在する周壁部材用係止爪が形成され、
前記周壁部材の内側には、当該周壁部材の内径と略同じ外径を有し、内径が前記円状突
起部の内径以下であるリングが遊嵌状態で配設され、
前記周壁部材の前記円状突起部の上縁部と前記リングとの間には、前記リングと略同じ
内径および外径を有する係合環部材であって、前記冠着部材の前記周壁部材用係止爪とこ
れに隣接している前記側壁部によって形成される隙間または相隣接している２つの前記周
壁部材用係止爪によって形成される隙間に挿入可能で且つ前記隙間の上端部に当接可能な
複数個の係合突起部が形成された係合環部材が遊嵌状態で配設され、
前記装着解除具は、
本体と、該本体から鉛直方向下方に延在し且つ前記円状鍔部の複数個の前記切欠部のそ
れぞれに上方から嵌入可能な複数個の押下脚部と、前記本体の上部に主柱部を介して固定
された取手部と、前記主柱部が摺動可能な開口部を有する天板部と前記本体および前記押
下脚部を収納可能な円筒状の外筒部とからなるガイド部材と、該ガイド部材の天板部と前
記取手部との間に配設されたコイルバネとから構成され、
前記押下脚部は、前記切欠部に嵌入され前記係合環部材が前記円状突起部の上縁部に当
接するまで押し下げられた状態で、前記リングの上縁部と前記円状鍔部の上縁部との距離
以上となる長さを有し、且つ、両側辺の一方の側に前記円状鍔部の下縁部に相当する位置
から上方に向かって当該円状鍔部の厚み以上の長さを有する切込部が形成され、
前記ガイド部材の前記外筒部の下端部は、前記周壁部材の上部に嵌合可能な形状に形成
されていることを特徴とする固定ナット用着脱式防犯具。
【請求項７】
固定ボルトの頭部に装着される固定ボルト用防犯具と、該固定ボルト用防犯具の装着状
態を解除する装着解除具とから構成される固定ボルト用着脱式防犯具であって、
前記固定ボルト用防犯具は、
前記固定ボルトが挿通可能な被固定物を当該固定ボルトと螺合する雌ネジ部を有する対
象物に前記固定ボルトで固定した際、前記固定ボルトの頭部の下端面と前記被固定物の表
面との間に空隙を形成するスペース形成手段と、
天板部と該天板部の周縁部から下方に延在する複数枚の側壁部とを有し、前記固定ボル
トの頭部に冠着する冠着部材であって、前記複数枚の側壁部の下端部には、前記固定ボル
トの頭部に冠着した際、前記被固定物の表面と前記固定ボルトの頭部の下端面との間に形
成されている空隙部分に挿入可能な冠着用係止爪が形成されている冠着部材と、
前記固定ボルトの頭部に冠着した前記冠着部材の外側面部を覆う中空円筒状の周壁部材
であって、該周壁部材の内周壁面の下端部には、内側方向に突設され前記冠着部材の側壁
部を押圧する円状突起部が形成され、前記内周壁面の上端部には、内側方向に突設された
円状鍔部であって複数個の切欠部を有する円状鍔部が形成されている周壁部材とから構成
され、
前記冠着部材には、前記周壁部材の前記円状突起部の上面部分に係合する周壁部材用係
止爪であって、前記天板部の周縁部から下方に延在する周壁部材用係止爪が形成され、
前記周壁部材の内側には、当該周壁部材の内径と略同じ外径を有し、内径が前記円状突
起部の内径以下であるリングが遊嵌状態で配設され、
前記周壁部材の前記円状突起部の上縁部と前記リングとの間には、前記リングと略同じ
内径および外径を有する係合環部材であって、前記冠着部材の前記周壁部材用係止爪とこ
れに隣接している前記側壁部によって形成される隙間または相隣接している２つの前記周
壁部材用係止爪によって形成される隙間に挿入可能で且つ前記隙間の上端部に当接可能な
複数個の係合突起部が形成された係合環部材が遊嵌状態で配設され、
前記装着解除具は、
本体と、該本体から鉛直方向下方に延在し且つ前記円状鍔部の複数個の前記切欠部のそ
れぞれに上方から嵌入可能な複数個の押下脚部と、前記本体の上部に主柱部を介して固定
された取手部と、前記主柱部が摺動可能な開口部を有する天板部と前記本体および前記押
下脚部を収納可能な円筒状の外筒部とからなるガイド部材と、該ガイド部材の天板部と前
記取手部との間に配設されたコイルバネとから構成され、
前記押下脚部は、前記切欠部に嵌入され前記係合環部材が前記円状突起部の上縁部に当
接するまで押し下げられた状態で、前記リングの上縁部と前記円状鍔部の上縁部との距離
以上となる長さを有し、且つ、両側辺の一方の側に前記円状鍔部の下縁部に相当する位置
から上方に向かって当該円状鍔部の厚み以上の長さを有する切込部が形成され、
前記ガイド部材の前記外筒部の下端部は、前記周壁部材の上部に嵌合可能な形状に形成
されていることを特徴とする固定ボルト用着脱式防犯具。
【請求項８】
固定ボルトの頭部に装着される固定ボルト用防犯具と、該固定ボルト用防犯具の装着状
態を解除する装着解除具とから構成される固定ボルト用着脱式防犯具であって、
前記固定ボルト用防犯具は、
固定ボルトが挿通可能な被固定物を当該固定ボルトと螺合する雌ネジ部を有する対象物
に前記固定ボルトで固定した際、前記固定ボルトの頭部の周辺方向に向かって延在する鍔
部を有し、且つ、当該鍔部と前期被固定物の表面との間に空隙が形成されるような状態で
前記固定ボルトの頭部の下端部に装着可能な鍔部材と、
天板部と該天板部の周縁部から下方に延在する複数枚の側壁部とを有し、前記鍔部材が
装着されている前記固定ボルトの頭部に冠着する冠着部材であって、前記複数枚の側壁部
の下端部には、前記固定ボルトの頭部および前記鍔部材に冠着した際、前記被固定物の表
面と前記鍔部材の鍔部との間に形成されている空隙部分に挿入可能な冠着用係止爪が形成
されている冠着部材と、
前記固定ボルトの頭部に冠着した前記冠着部材の外側面部を覆う中空円筒状の周壁部材
であって、該周壁部材の内周壁面の下端部には、内側方向に突設され前記冠着部材の側壁
部を押圧する円状突起部が形成され、前記内周壁面の上端部には、内側方向に突設された
円状鍔部であって複数個の切欠部を有する円状鍔部が形成されている周壁部材とから構成
され、
前記冠着部材には、前記周壁部材の前記円状突起部の上面部分に係合する周壁部材用係
止爪であって、前記天板部の周縁部から下方に延在する周壁部材用係止爪が形成され、
前記周壁部材の内側には、当該周壁部材の内径と略同じ外径を有し、内径が前記円状突
起部の内径以下であるリングが遊嵌状態で配設され、
前記周壁部材の前記円状突起部の上縁部と前記リングとの間には、前記リングと略同じ
内径および外径を有する係合環部材であって、前記冠着部材の前記周壁部材用係止爪とこ
れに隣接している前記側壁部によって形成される隙間または相隣接している２つの前記周
壁部材用係止爪によって形成される隙間に挿入可能で且つ前記隙間の上端部に当接可能な
複数個の係合突起部が形成された係合環部材が遊嵌状態で配設され、
前記装着解除具は、
本体と、該本体から鉛直方向下方に延在し且つ前記円状鍔部の複数個の前記切欠部のそ
れぞれに上方から嵌入可能な複数個の押下脚部と、前記本体の上部に主柱部を介して固定
された取手部と、前記主柱部が摺動可能な開口部を有する天板部と前記本体および前記押
下脚部を収納可能な円筒状の外筒部とからなるガイド部材と、該ガイド部材の天板部と前
記取手部との間に配設されたコイルバネとから構成され、
前記押下脚部は、前記切欠部に嵌入され前記係合環部材が前記円状突起部の上縁部に当
接するまで押し下げられた状態で、前記リングの上縁部と前記円状鍔部の上縁部との距離
以上となる長さを有し、且つ、両側辺の一方の側に前記円状鍔部の下縁部に相当する位置
から上方に向かって当該円状鍔部の厚み以上の長さを有する切込部が形成され、
前記ガイド部材の前記外筒部の下端部は、前記周壁部材の上部に嵌合可能な形状に形成
されていることを特徴とする固定ボルト用着脱式防犯具。
【発明の詳細な説明】
【技術分野】
【０００１】
本発明は、固定ボルトを用いてこれと螺合する対象物に被固定物を固定した際や、固定
ナットを用いて対象物に固定されているボルトに被固定物を固定した際に、この被固定物
を盗難から守る固定ボルトおよび固定ナット用着脱式防犯具に関するものである。
【背景技術】
【０００２】
自動車のナンバープレートやアルミホイール等の部品を車体に固定する場合や、変圧器
や自動販売機等の機器をその設置場所に固定する場合には、通常、固定ボルトや固定ナッ
トを用いてその固定が行なわれている。
【０００３】
近年、駐車中の自動車等の車体からナンバープレートのみを盗むという犯罪が増加して
いる。この犯罪を行なう者は、一般に市販されているドライバ等の器具を用いて、固定ボ
ルトを外し短時間のうちにナンバープレートのみを盗んでいく。
【０００４】
このような固定ボルトや固定ナットを外して行なわれる盗難事件を防ぐために、固定ボ
ルトの頭部や固定ナットを外部に露呈させない以下のような固定ボルトおよび固定ナット
用防犯具を本願出願人は既に提案している（特願２００４−３６４４８８）。
【０００５】
図１５は、固定ナット用防犯具の構成を示した分解斜視図であり、図１６は、固定ナッ
ト用防犯具の装着状態での断面図である。
【０００６】
図１５および図１６において、Ｆはコンクリート等で形成された床であり、３はこの床
Ｆにその一部が埋設固定されているボルトである。５は、ボルト３と固定ナット４とによ
って対象物である床Ｆに固定される自動販売機や変圧器等の被固定物である。４ｂは固定
ナット４の下端面に当接するワッシャー、１０はワッシャー４ｂと被固定物５の表面との
間に空隙を形成するためのスペーサである。
【０００７】
２０は固定ナット４に冠着する冠着部材であり、３０は冠着部材２０の外側面を覆う周
壁部材である。冠着部材２０は金属によって構成し、周壁部材３０も金属によって構成し
てあるが、この冠着部材２０を構成する材料や周壁部材３０を構成する材料は、以上の材
料に限定されるものではない。
【０００８】
冠着部材２０は、天板部２１とこの天板部２１の周縁部から下方（天板部２１から視て
ナット４の方向）に延在する複数枚の側壁部２２および周壁部材用係止爪２４，２５によ
って構成されている。
【０００９】
側壁部２２の下端部には、固定ナット４およびワッシャー４ｂと被固定物５の表面との
間にスペーサ１０によって形成される空隙Ｓに挿入され、ワッシャー４ｂを介して固定ナ
ット４の下端面に当接する冠着用係止爪２３が形成されている。このようにスペーサ１０
は、冠着用係止爪２３が挿入可能となるような空隙Ｓを形成するために配設されるスペー
ス形成手段として用いられるものである。このスペース形成手段は、スペーサ１０に限ら
れるものではなく、既に本願出願人が特願２００４−３６４４８８で開示したように、固
定ナットの下面側に一体的に形成されたスペーサ部やテーパー部としてもよい。
【００１０】
この金属製の弾性を有する冠着部材２０は、固定ナット４およびワッシャー４ｂに容易
に被せることができるようにその側壁部２２および周壁部材用係止爪２４，２５が若干開
いた状態に形成されている。
【００１１】
周壁部材３０の内周壁面の下端部には、その全周に亘って内側方向に突設された円状突
起部３１が形成されている。この周壁部材３０の円状突起部３１に押圧されることにより
、冠着部材２０の冠着用係止爪２３は、固定ナット４の下端面にワッシャー４ｂを介して
当接した状態を維持することができる。
【００１２】
ここで、図１６に示したように、弾性を有する金属製の冠着部材２０に配設されている
周壁部材用係止爪２４，２５は、その下端部が、周壁部材３０の円状突起部３１の上面部
分に当接するように形成されている。この周壁部材用係止爪２４，２５は円状突起部３１
の上面に略直角な状態で当接するように形成されているので、冠着部材２０に装着されて
いる周壁部材３０を容易に外すことはできない。
【００１３】
このように固定ナット４に冠着部材２０および周壁部材３０が装着された図１６に示し
た状態においては、固定ナット４を外部に露呈することは著しく困難となる。
【００１４】
以上のように構成された固定ナット用防犯具においては、図１７に示すような専用の係
止解除具６０を用いることにより、周壁部材３０と冠着部材２０とを容易に外すことがで
きる。
【００１５】
この係止解除具６０は、図１８（ａ）ないし（ｃ）に示したように中空円筒形の形状を
有する部材である。係止解除具６０の外径は、図１８（ａ），（ｂ）に示すように周壁部
材３０の内側に嵌入可能な値に選ばれている。また、係止解除具６０の内径は、周壁部材
３０の円状突起部３１の上面部分の内径以下となるように選ばれている。
【００１６】
このような係止解除具６０を、図１８（ａ）に示すように周壁部材３０に嵌入させて、
その先端部を図１８（ｂ）に示したように円状突起部３１の上面部分に当接させると、冠
着部材２０の周壁部材用係止爪２４，２５と円状突起部３１の係合状態を解除させること
ができる。従って図１８（ｃ）に示したように、係止解除部材６０と共に周壁部材３０を
固定ナット４から離すことができる。
【００１７】
図１８（ｃ）のように冠着部材２０を完全に露出させれば、この冠着部材２０は固定ナ
ット４から容易に外すことができる。従って固定ナット４を容易に露出させることができ
る。
【００１８】
このように固定ナット４を外部に露出させれば、ボックスレンチ等の一般の器具を用い
て固定ナット４を簡単に外すことができる。
【００１９】
ここで、以上説明した固定ナット用防犯具においては、冠着部材２０の冠着用係止爪２
３が挿入可能な空隙Ｓをスペーサ１０によって形成する構成となっているが、このスペー
サ１０に換えて図１９に示す構成の鍔部材１５を固定ナット４と被固定物５との間に配設
しても冠着用係止爪２３が挿入可能な空隙を固定ナット４の下端部に形成することができ
る。この鍔部材１５は、固定ナット４の周囲にその周辺方向に向かって延在するように配
設されている鍔部１１と、固定ナット４の下端面と被固定物５の表面とによって挾持固定
される底板部１２と、被固定物５の表面と鍔部１１との間に空隙が形成されるように底板
部１２と鍔部１１との間に介設されている立上部１３とによって構成されているものであ
る。
【発明の開示】
【発明が解決しようとする課題】
【００２０】
以上説明した固定ナット用防犯具においては、係止解除具６０を用いて周壁部材３０を
外す際、図１８（ｃ）に示したように周壁部材３０を手で持った状態で外すという構成と
なっているために以下のような問題が生じてしまう。
【００２１】
すなわち、図２０および図２１に示した自動車のタイヤＴのホイールＨを固定する固定
ナット４のように、固定した状態において埋設状態となる固定ナット４に冠着部材２０お
よび周壁部材３０を装着した場合には、防犯機能を果たすことは出来る。しかしながら、
タイヤ交換のときなど固定ナット４を外す必要が生じた際、係止解除具６０を用いて冠着
部材２０と周壁部材３０との係合状態を解除しても、周壁部材３０とホイールＨとの間の
隙間が狭いために、周壁部材３０を手で持って外すことが著しく困難であり、さらに周壁
部材３０を外せたとしても、冠着部材２０を固定ナット４から外すときにも微妙な操作が
必要とされるという問題が生じる。
【００２２】
換言すれば、先に説明した固定ボルトおよび固定ナット用防犯具は、被固定物を対象物
に固定した状態において埋設状態となる固定ボルトの頭部や固定ナットに装着した場合、
固定ボルトや固定ナットを外す必要が生じたときに、この防犯具を外すことが著しく困難
になってしまうという問題が生じる。
【課題を解決するための手段】
【００２３】
本発明によれば、第１に、固定ナットに装着される固定ナット用防犯具と、該固定ナッ
ト用防犯具の装着状態を解除する装着解除具とから構成される固定ナット用着脱式防犯具
であって、前記固定ナット用防犯具は、対象物に固定されているボルトが挿通可能な被固
定物を当該ボルトと螺合する前記固定ナットで前記ボルトに固定した際、前記固定ナット
の下端面と前記被固定物の表面との間に空隙を形成するスペース形成手段と、天板部と該
天板部の周縁部から下方に延在する複数枚の側壁部とを有し、前記固定ナットに冠着する
冠着部材であって、前記複数枚の側壁部の下端部には、前記固定ナットに冠着した際、前
記被固定物の表面と前記固定ナットの下端面との間に形成されている空隙部分に挿入可能
な冠着用係止爪が形成されている冠着部材と、前記固定ナットに冠着した前記冠着部材の
外側面部を覆う中空円筒状の周壁部材であって、該周壁部材の内周壁面の下端部には、内
側方向に突設され前記冠着部材の側壁部を押圧する円状突起部が形成され、前記内周壁面
の上端部には、内側方向に突設された円状鍔部であって複数個の切欠部を有する円状鍔部
が形成されている周壁部材とから構成され、前記冠着部材には、前記周壁部材の前記円状
突起部の上面部分に係合する周壁部材用係止爪であって、前記天板部の周縁部から下方に
延在する周壁部材用係止爪が形成され、前記周壁部材の内側には、当該周壁部材の内径と
略同じ外径を有し、内径が前記円状突起部の内径以下であるリングが遊嵌状態で配設され
、前記周壁部材の前記円状突起部の上縁部と前記リングとの間には、前記リングと略同じ
内径および外径を有する係合環部材であって、前記冠着部材の前記周壁部材用係止爪とこ
れに隣接している前記側壁部によって形成される隙間または相隣接している２つの前記周
壁部材用係止爪によって形成される隙間に挿入可能で且つ前記隙間の上端部に当接可能な
複数個の係合突起部が形成された係合環部材が遊嵌状態で配設され、前記装着解除具は、
本体と、該本体から鉛直方向下方に延在し且つ前記円状鍔部の複数個の前記切欠部のそれ
ぞれに上方から嵌入可能な複数個の押下脚部と、前記本体の上部に配設された取手部とか
ら構成され、前記押下脚部は、前記切欠部に嵌入され前記係合環部材が前記円状突起部の
上縁部に当接するまで押し下げられた状態で、前記リングの上縁部と前記円状鍔部の上縁
部との距離以上となる長さを有し、且つ、両側辺の一方の側に前記円状鍔部の下縁部に相
当する位置から上方に向かって当該円状鍔部の厚み以上の長さを有する切込部が形成され
ていることを特徴とする固定ナット用着脱式防犯具を提供することができる。
【００２４】
本発明によれば、第２に、固定ナットに装着される固定ナット用防犯具と、該固定ナッ
ト用防犯具の装着状態を解除する装着解除具とから構成される固定ナット用着脱式防犯具
であって、前記固定ナット用防犯具は、対象物に固定されているボルトが挿通可能な被固
定物を当該ボルトと螺合する固定ナットで前記ボルトに固定した際、前記固定ナットの周
辺方向に向かって延在する鍔部を有し、且つ、当該鍔部と前記被固定物の表面との間に空
隙が形成されるような状態で前記固定ナットの下端部に装着可能な鍔部材と、天板部と該
天板部の周縁部から下方に延在する複数枚の側壁部とを有し、前記鍔部材が装着されてい
る前記固定ナットに冠着する冠着部材であって、前記複数枚の側壁部の下端部には、前記
固定ナットおよび前記鍔部材に冠着した際、前記被固定物の表面と前記鍔部材の鍔部との
間に形成されている空隙部分に挿入可能な冠着用係止爪が形成されている冠着部材と、前
記固定ナットに冠着した前記冠着部材の外側面部を覆う中空円筒状の周壁部材であって、
該周壁部材の内周壁面の下端部には、内側方向に突設され前記冠着部材の側壁部を押圧す
る円状突起部が形成され、前記内周壁面の上端部には、内側方向に突設された円状鍔部で
あって複数個の切欠部を有する円状鍔部が形成されている周壁部材とから構成され、前記
冠着部材には、前記周壁部材の前記円状突起部の上面部分に係合する周壁部材用係止爪で
あって、前記天板部の周縁部から下方に延在する周壁部材用係止爪が形成され、前記周壁
部材の内側には、当該周壁部材の内径と略同じ外径を有し、内径が前記円状突起部の内径
以下であるリングが遊嵌状態で配設され、前記周壁部材の前記円状突起部の上縁部と前記
リングとの間には、前記リングと略同じ内径および外径を有する係合環部材であって、前
記冠着部材の前記周壁部材用係止爪とこれに隣接している前記側壁部によって形成される
隙間または相隣接している２つの前記周壁部材用係止爪によって形成される隙間に挿入可
能で且つ前記隙間の上端部に当接可能な複数個の係合突起部が形成された係合環部材が遊
嵌状態で配設され、前記装着解除具は、本体と、該本体から鉛直方向下方に延在し且つ前
記円状鍔部の複数個の前記切欠部のそれぞれに上方から嵌入可能な複数個の押下脚部と、
前記本体の上部に配設された取手部とから構成され、前記押下脚部は、前記切欠部に嵌入
され前記係合環部材が前記円状突起部の上縁部に当接するまで押し下げられた状態で、前
記リングの上縁部と前記円状鍔部の上縁部との距離以上となる長さを有し、且つ、両側辺
の一方の側に前記円状鍔部の下縁部に相当する位置から上方に向かって当該円状鍔部の厚
み以上の長さを有する切込部が形成されていることを特徴とする固定ナット用着脱式防犯
具を提供することができる。
【００２５】
本発明によれば、第３に、固定ボルトの頭部に装着される固定ボルト用防犯具と、該固
定ボルト用防犯具の装着状態を解除する装着解除具とから構成される固定ボルト用着脱式
防犯具であって、前記固定ボルト用防犯具は、前記固定ボルトが挿通可能な被固定物を当
該固定ボルトと螺合する雌ネジ部を有する対象物に前記固定ボルトで固定した際、前記固
定ボルトの頭部の下端面と前記被固定物の表面との間に空隙を形成するスペース形成手段
と、天板部と該天板部の周縁部から下方に延在する複数枚の側壁部とを有し、前記固定ボ
ルトの頭部に冠着する冠着部材であって、前記複数枚の側壁部の下端部には、前記固定ボ
ルトの頭部に冠着した際、前記被固定物の表面と前記固定ボルトの頭部の下端面との間に
形成されている空隙部分に挿入可能な冠着用係止爪が形成されている冠着部材と、前記固
定ボルトの頭部に冠着した前記冠着部材の外側面部を覆う中空円筒状の周壁部材であって
、該周壁部材の内周壁面の下端部には、内側方向に突設され前記冠着部材の側壁部を押圧
する円状突起部が形成され、前記内周壁面の上端部には、内側方向に突設された円状鍔部
であって複数個の切欠部を有する円状鍔部が形成されている周壁部材とから構成され、前
記冠着部材には、前記周壁部材の前記円状突起部の上面部分に係合する周壁部材用係止爪
であって、前記天板部の周縁部から下方に延在する周壁部材用係止爪が形成され、前記周
壁部材の内側には、当該周壁部材の内径と略同じ外径を有し、内径が前記円状突起部の内
径以下であるリングが遊嵌状態で配設され、前記周壁部材の前記円状突起部の上縁部と前
記リングとの間には、前記リングと略同じ内径および外径を有する係合環部材であって、
前記冠着部材の前記周壁部材用係止爪とこれに隣接している前記側壁部によって形成され
る隙間または相隣接している２つの前記周壁部材用係止爪によって形成される隙間に挿入
可能で且つ前記隙間の上端部に当接可能な複数個の係合突起部が形成された係合環部材が
遊嵌状態で配設され、前記装着解除具は、本体と、該本体から鉛直方向下方に延在し且つ
前記円状鍔部の複数個の前記切欠部のそれぞれに上方から嵌入可能な複数個の押下脚部と
、前記本体の上部に配設された取手部とから構成され、前記押下脚部は、前記切欠部に嵌
入され前記係合環部材が前記円状突起部の上縁部に当接するまで押し下げられた状態で、
前記リングの上縁部と前記円状鍔部の上縁部との距離以上となる長さを有し、且つ、両側
辺の一方の側に前記円状鍔部の下縁部に相当する位置から上方に向かって当該円状鍔部の
厚み以上の長さを有する切込部が形成されていることを特徴とする固定ボルト用着脱式防
犯具を提供することができる。
【００２６】
本発明によれば、第４に、固定ボルトの頭部に装着される固定ボルト用防犯具と、該固
定ボルト用防犯具の装着状態を解除する装着解除具とから構成される固定ボルト用着脱式
防犯具であって、前記固定ボルト用防犯具は、固定ボルトが挿通可能な被固定物を当該固
定ボルトと螺合する雌ネジ部を有する対象物に前記固定ボルトで固定した際、前記固定ボ
ルトの頭部の周辺方向に向かって延在する鍔部を有し、且つ、当該鍔部と前期被固定物の
表面との間に空隙が形成されるような状態で前記固定ボルトの頭部の下端部に装着可能な
鍔部材と、天板部と該天板部の周縁部から下方に延在する複数枚の側壁部とを有し、前記
鍔部材が装着されている前記固定ボルトの頭部に冠着する冠着部材であって、前記複数枚
の側壁部の下端部には、前記固定ボルトの頭部および前記鍔部材に冠着した際、前記被固
定物の表面と前記鍔部材の鍔部との間に形成されている空隙部分に挿入可能な冠着用係止
爪が形成されている冠着部材と、前記固定ボルトの頭部に冠着した前記冠着部材の外側面
部を覆う中空円筒状の周壁部材であって、該周壁部材の内周壁面の下端部には、内側方向
に突設され前記冠着部材の側壁部を押圧する円状突起部が形成され、前記内周壁面の上端
部には、内側方向に突設された円状鍔部であって複数個の切欠部を有する円状鍔部が形成
されている周壁部材とから構成され、前記冠着部材には、前記周壁部材の前記円状突起部
の上面部分に係合する周壁部材用係止爪であって、前記天板部の周縁部から下方に延在す
る周壁部材用係止爪が形成され、前記周壁部材の内側には、当該周壁部材の内径と略同じ
外径を有し、内径が前記円状突起部の内径以下であるリングが遊嵌状態で配設され、前記
周壁部材の前記円状突起部の上縁部と前記リングとの間には、前記リングと略同じ内径お
よび外径を有する係合環部材であって、前記冠着部材の前記周壁部材用係止爪とこれに隣
接している前記側壁部によって形成される隙間または相隣接している２つの前記周壁部材
用係止爪によって形成される隙間に挿入可能で且つ前記隙間の上端部に当接可能な複数個
の係合突起部が形成された係合環部材が遊嵌状態で配設され、前記装着解除具は、本体と
、該本体から鉛直方向下方に延在し且つ前記円状鍔部の複数個の前記切欠部のそれぞれに
上方から嵌入可能な複数個の押下脚部と、前記本体の上部に配設された取手部とから構成
され、前記押下脚部は、前記切欠部に嵌入され前記係合環部材が前記円状突起部の上縁部
に当接するまで押し下げられた状態で、前記リングの上縁部と前記円状鍔部の上縁部との
距離以上となる長さを有し、且つ、両側辺の一方の側に前記円状鍔部の下縁部に相当する
位置から上方に向かって当該円状鍔部の厚み以上の長さを有する切込部が形成されている
ことを特徴とする固定ボルト用着脱式防犯具を提供することができる。
【００２７】
本発明によれば、第５に、固定ナットに装着される固定ナット用防犯具と、該固定ナッ
ト用防犯具の装着状態を解除する装着解除具とから構成される固定ナット用着脱式防犯具
であって、前記固定ナット用防犯具は、対象物に固定されているボルトが挿通可能な被固
定物を当該ボルトと螺合する前記固定ナットで前記ボルトに固定した際、前記固定ナット
の下端面と前記被固定物の表面との間に空隙を形成するスペース形成手段と、天板部と該
天板部の周縁部から下方に延在する複数枚の側壁部とを有し、前記固定ナットに冠着する
冠着部材であって、前記複数枚の側壁部の下端部には、前記固定ナットに冠着した際、前
記被固定物の表面と前記固定ナットの下端面との間に形成されている空隙部分に挿入可能
な冠着用係止爪が形成されている冠着部材と、前記固定ナットに冠着した前記冠着部材の
外側面部を覆う中空円筒状の周壁部材であって、該周壁部材の内周壁面の下端部には、内
側方向に突設され前記冠着部材の側壁部を押圧する円状突起部が形成され、前記内周壁面
の上端部には、内側方向に突設された円状鍔部であって複数個の切欠部を有する円状鍔部
が形成されている周壁部材とから構成され、前記冠着部材には、前記周壁部材の前記円状
突起部の上面部分に係合する周壁部材用係止爪であって、前記天板部の周縁部から下方に
延在する周壁部材用係止爪が形成され、前記周壁部材の内側には、当該周壁部材の内径と
略同じ外径を有し、内径が前記円状突起部の内径以下であるリングが遊嵌状態で配設され
、前記周壁部材の前記円状突起部の上縁部と前記リングとの間には、前記リングと略同じ
内径および外径を有する係合環部材であって、前記冠着部材の前記周壁部材用係止爪とこ
れに隣接している前記側壁部によって形成される隙間または相隣接している２つの前記周
壁部材用係止爪によって形成される隙間に挿入可能で且つ前記隙間の上端部に当接可能な
複数個の係合突起部が形成された係合環部材が遊嵌状態で配設され、前記装着解除具は、
本体と、該本体から鉛直方向下方に延在し且つ前記円状鍔部の複数個の前記切欠部のそれ
ぞれに上方から嵌入可能な複数個の押下脚部と、前記本体の上部に主柱部を介して固定さ
れた取手部と、前記主柱部が摺動可能な開口部を有する天板部と前記本体および前記押下
脚部を収納可能な円筒状の外筒部とからなるガイド部材と、該ガイド部材の天板部と前記
取手部との間に配設されたコイルバネとから構成され、前記押下脚部は、前記切欠部に嵌
入され前記係合環部材が前記円状突起部の上縁部に当接するまで押し下げられた状態で、
前記リングの上縁部と前記円状鍔部の上縁部との距離以上となる長さを有し、且つ、両側
辺の一方の側に前記円状鍔部の下縁部に相当する位置から上方に向かって当該円状鍔部の
厚み以上の長さを有する切込部が形成され、前記ガイド部材の前記外筒部の下端部は、前
記周壁部材の上部に嵌合可能な形状に形成されていることを特徴とする固定ナット用着脱
式防犯具を提供することができる。
【００２８】
本発明によれば、第６に、固定ナットに装着される固定ナット用防犯具と、該固定ナッ
ト用防犯具の装着状態を解除する装着解除具とから構成される固定ナット用着脱式防犯具
であって、前記固定ナット用防犯具は、対象物に固定されているボルトが挿通可能な被固
定物を当該ボルトと螺合する固定ナットで前記ボルトに固定した際、前記固定ナットの周
辺方向に向かって延在する鍔部を有し、且つ、当該鍔部と前記被固定物の表面との間に空
隙が形成されるような状態で前記固定ナットの下端部に装着可能な鍔部材と、天板部と該
天板部の周縁部から下方に延在する複数枚の側壁部とを有し、前記鍔部材が装着されてい
る前記固定ナットに冠着する冠着部材であって、前記複数枚の側壁部の下端部には、前記
固定ナットおよび前記鍔部材に冠着した際、前記被固定物の表面と前記鍔部材の鍔部との
間に形成されている空隙部分に挿入可能な冠着用係止爪が形成されている冠着部材と、前
記固定ナットに冠着した前記冠着部材の外側面部を覆う中空円筒状の周壁部材であって、
該周壁部材の内周壁面の下端部には、内側方向に突設され前記冠着部材の側壁部を押圧す
る円状突起部が形成され、前記内周壁面の上端部には、内側方向に突設された円状鍔部で
あって複数個の切欠部を有する円状鍔部が形成されている周壁部材とから構成され、前記
冠着部材には、前記周壁部材の前記円状突起部の上面部分に係合する周壁部材用係止爪で
あって、前記天板部の周縁部から下方に延在する周壁部材用係止爪が形成され、前記周壁
部材の内側には、当該周壁部材の内径と略同じ外径を有し、内径が前記円状突起部の内径
以下であるリングが遊嵌状態で配設され、前記周壁部材の前記円状突起部の上縁部と前記
リングとの間には、前記リングと略同じ内径および外径を有する係合環部材であって、前
記冠着部材の前記周壁部材用係止爪とこれに隣接している前記側壁部によって形成される
隙間または相隣接している２つの前記周壁部材用係止爪によって形成される隙間に挿入可
能で且つ前記隙間の上端部に当接可能な複数個の係合突起部が形成された係合環部材が遊
嵌状態で配設され、前記装着解除具は、本体と、該本体から鉛直方向下方に延在し且つ前
記円状鍔部の複数個の前記切欠部のそれぞれに上方から嵌入可能な複数個の押下脚部と、
前記本体の上部に主柱部を介して固定された取手部と、前記主柱部が摺動可能な開口部を
有する天板部と前記本体および前記押下脚部を収納可能な円筒状の外筒部とからなるガイ
ド部材と、該ガイド部材の天板部と前記取手部との間に配設されたコイルバネとから構成
され、前記押下脚部は、前記切欠部に嵌入され前記係合環部材が前記円状突起部の上縁部
に当接するまで押し下げられた状態で、前記リングの上縁部と前記円状鍔部の上縁部との
距離以上となる長さを有し、且つ、両側辺の一方の側に前記円状鍔部の下縁部に相当する
位置から上方に向かって当該円状鍔部の厚み以上の長さを有する切込部が形成され、前記
ガイド部材の前記外筒部の下端部は、前記周壁部材の上部に嵌合可能な形状に形成されて
いることを特徴とする固定ナット用着脱式防犯具を提供することができる。
【００２９】
本発明によれば、第７に、固定ボルトの頭部に装着される固定ボルト用防犯具と、該固
定ボルト用防犯具の装着状態を解除する装着解除具とから構成される固定ボルト用着脱式
防犯具であって、前記固定ボルト用防犯具は、前記固定ボルトが挿通可能な被固定物を当
該固定ボルトと螺合する雌ネジ部を有する対象物に前記固定ボルトで固定した際、前記固
定ボルトの頭部の下端面と前記被固定物の表面との間に空隙を形成するスペース形成手段
と、天板部と該天板部の周縁部から下方に延在する複数枚の側壁部とを有し、前記固定ボ
ルトの頭部に冠着する冠着部材であって、前記複数枚の側壁部の下端部には、前記固定ボ
ルトの頭部に冠着した際、前記被固定物の表面と前記固定ボルトの頭部の下端面との間に
形成されている空隙部分に挿入可能な冠着用係止爪が形成されている冠着部材と、前記固
定ボルトの頭部に冠着した前記冠着部材の外側面部を覆う中空円筒状の周壁部材であって
、該周壁部材の内周壁面の下端部には、内側方向に突設され前記冠着部材の側壁部を押圧
する円状突起部が形成され、前記内周壁面の上端部には、内側方向に突設された円状鍔部
であって複数個の切欠部を有する円状鍔部が形成されている周壁部材とから構成され、前
記冠着部材には、前記周壁部材の前記円状突起部の上面部分に係合する周壁部材用係止爪
であって、前記天板部の周縁部から下方に延在する周壁部材用係止爪が形成され、前記周
壁部材の内側には、当該周壁部材の内径と略同じ外径を有し、内径が前記円状突起部の内
径以下であるリングが遊嵌状態で配設され、前記周壁部材の前記円状突起部の上縁部と前
記リングとの間には、前記リングと略同じ内径および外径を有する係合環部材であって、
前記冠着部材の前記周壁部材用係止爪とこれに隣接している前記側壁部によって形成され
る隙間または相隣接している２つの前記周壁部材用係止爪によって形成される隙間に挿入
可能で且つ前記隙間の上端部に当接可能な複数個の係合突起部が形成された係合環部材が
遊嵌状態で配設され、前記装着解除具は、本体と、該本体から鉛直方向下方に延在し且つ
前記円状鍔部の複数個の前記切欠部のそれぞれに上方から嵌入可能な複数個の押下脚部と
、前記本体の上部に主柱部を介して固定された取手部と、前記主柱部が摺動可能な開口部
を有する天板部と前記本体および前記押下脚部を収納可能な円筒状の外筒部とからなるガ
イド部材と、該ガイド部材の天板部と前記取手部との間に配設されたコイルバネとから構
成され、前記押下脚部は、前記切欠部に嵌入され前記係合環部材が前記円状突起部の上縁
部に当接するまで押し下げられた状態で、前記リングの上縁部と前記円状鍔部の上縁部と
の距離以上となる長さを有し、且つ、両側辺の一方の側に前記円状鍔部の下縁部に相当す
る位置から上方に向かって当該円状鍔部の厚み以上の長さを有する切込部が形成され、前
記ガイド部材の前記外筒部の下端部は、前記周壁部材の上部に嵌合可能な形状に形成され
ていることを特徴とする固定ボルト用着脱式防犯具を提供することができる。
【００３０】
本発明によれば、第８に、固定ボルトの頭部に装着される固定ボルト用防犯具と、該固
定ボルト用防犯具の装着状態を解除する装着解除具とから構成される固定ボルト用着脱式
防犯具であって、前記固定ボルト用防犯具は、固定ボルトが挿通可能な被固定物を当該固
定ボルトと螺合する雌ネジ部を有する対象物に前記固定ボルトで固定した際、前記固定ボ
ルトの頭部の周辺方向に向かって延在する鍔部を有し、且つ、当該鍔部と前期被固定物の
表面との間に空隙が形成されるような状態で前記固定ボルトの頭部の下端部に装着可能な
鍔部材と、天板部と該天板部の周縁部から下方に延在する複数枚の側壁部とを有し、前記
鍔部材が装着されている前記固定ボルトの頭部に冠着する冠着部材であって、前記複数枚
の側壁部の下端部には、前記固定ボルトの頭部および前記鍔部材に冠着した際、前記被固
定物の表面と前記鍔部材の鍔部との間に形成されている空隙部分に挿入可能な冠着用係止
爪が形成されている冠着部材と、前記固定ボルトの頭部に冠着した前記冠着部材の外側面
部を覆う中空円筒状の周壁部材であって、該周壁部材の内周壁面の下端部には、内側方向
に突設され前記冠着部材の側壁部を押圧する円状突起部が形成され、前記内周壁面の上端
部には、内側方向に突設された円状鍔部であって複数個の切欠部を有する円状鍔部が形成
されている周壁部材とから構成され、前記冠着部材には、前記周壁部材の前記円状突起部
の上面部分に係合する周壁部材用係止爪であって、前記天板部の周縁部から下方に延在す
る周壁部材用係止爪が形成され、前記周壁部材の内側には、当該周壁部材の内径と略同じ
外径を有し、内径が前記円状突起部の内径以下であるリングが遊嵌状態で配設され、前記
周壁部材の前記円状突起部の上縁部と前記リングとの間には、前記リングと略同じ内径お
よび外径を有する係合環部材であって、前記冠着部材の前記周壁部材用係止爪とこれに隣
接している前記側壁部によって形成される隙間または相隣接している２つの前記周壁部材
用係止爪によって形成される隙間に挿入可能で且つ前記隙間の上端部に当接可能な複数個
の係合突起部が形成された係合環部材が遊嵌状態で配設され、前記装着解除具は、本体と
、該本体から鉛直方向下方に延在し且つ前記円状鍔部の複数個の前記切欠部のそれぞれに
上方から嵌入可能な複数個の押下脚部と、前記本体の上部に主柱部を介して固定された取
手部と、前記主柱部が摺動可能な開口部を有する天板部と前記本体および前記押下脚部を
収納可能な円筒状の外筒部とからなるガイド部材と、該ガイド部材の天板部と前記取手部
との間に配設されたコイルバネとから構成され、前記押下脚部は、前記切欠部に嵌入され
前記係合環部材が前記円状突起部の上縁部に当接するまで押し下げられた状態で、前記リ
ングの上縁部と前記円状鍔部の上縁部との距離以上となる長さを有し、且つ、両側辺の一
方の側に前記円状鍔部の下縁部に相当する位置から上方に向かって当該円状鍔部の厚み以
上の長さを有する切込部が形成され、前記ガイド部材の前記外筒部の下端部は、前記周壁
部材の上部に嵌合可能な形状に形成されていることを特徴とする固定ボルト用着脱式防犯
具を提供することができる。
【発明の効果】
【００３１】
本発明によれば、対象物に被固定物を固定した際に埋設状態になる固定ボルトの頭部や
固定ナットに防犯具を装着しても、被固定物を対象物から外す必要が生じた場合には、固
定ボルトの頭部や固定ナットを容易に外部に露出させることができる。
【発明を実施するための最良の形態】
【００３２】
以下、図面を用いて本発明の実施例を説明する。
【実施例１】
【００３３】
図１ないし図３は本発明の実施例１の構成を示した図であり、図１は斜視図、図２は周
壁部材３０の内部構成を示した断面斜視図、図３は図１に示した冠着部材２０および周壁
部材３０の断面図である。
【００３４】
図１ないし図３において、先に説明した従来例を示した図１０および図１１と同一符号
ののものは同一のものを示しているのでその説明は省略する。
【００３５】
本実施例１が従来例と異なっているところは、周壁部材３０の構成と、周壁部材３０を
外すために用いられる図１および図２に示した装着解除具７０の構成である。以下、この
周壁部材３０と装着解除具７０の構成を説明する。
【００３６】
図２に示したように、周壁部材３０の内周壁面の下端部には従来例と同様の円状突起部
３１が形成されている。本実施例１においては、周壁部材３０の内周壁面の上端部に内側
方向に突設された円状鍔部３２が配設されている。この円状鍔部３２には、図１に示した
ように複数個の切欠部３３が形成されている。
【００３７】
また、本実施例１においては、図２に示したように、円状突起部３１と円状鍔部３２と
の間に、リング３４が遊嵌状態で配設されている。このリング３４の外径は、周壁部材３
０の内径と略同じとなるような値に選ばれており、その内径は、円状突起部３１の内径以
下の値となるように選ばれている。従って、このリング３４は円状突起部３１と円状鍔部
３２との間を上下方向に移動可能な状態となるように周壁部材３０の内側に配設されてい
る。
【００３８】
リング３４と円状突起部３１の上縁部との間には、係合環部材３５が配設されている。
この係合環部材３５は、その内径および外径の値がリング３４の内径および外径と略同じ
値に選ばれており、リング３４と同様に円状突起部３１と円状鍔部３２との間を上下方向
に移動可能な状態となるように周壁部材３０の内側に配設されている。
【００３９】
係合環部材３５の内側には、図４（ａ）に示したような複数個の係合突起部３５ａが形
成されている。この係合突起部３５ａは、図４（ｂ）に示したように、冠着部材２０の側
壁部２２と周壁部材用係止爪２４との間に形成されている隙間、または２つの周壁部材用
係止爪２４，２５の間に形成されている隙間に挿入可能となり、且つ、これらの隙間の上
端部に当接可能となるように形成されている。
【００４０】
図１および図２に示した装着解除具７０は、本体７１と、鉛直方向下方（図１，図２に
おいて本体７１から冠着部材２０に向かう方向）に延在するよう本体７１に配設された複
数個の押下脚部７２と、本体７１の上部に配設された取手部７３によって構成されている
。
【００４１】
ここで複数個の押下脚部７２のそれぞれは、周壁部材３０の上部に形成されている複数
個の切欠部３３のそれぞれに上方から嵌入可能となる形状に形成されている。
【００４２】
この押下脚部７２の長さは、押下脚部７２を切欠部３３に嵌入させ、係合環部材３５を
円状突起部３１の上縁部に当接させるまで押し下げた状態（図６（ｂ）に示した状態）で
、リング３４の上縁部と円状鍔部３２の上縁部との距離以上の長さとなるように選ばれて
いる。
【００４３】
また、それぞれの押下脚部７２の両側辺の一方の側には、切込部７２ａが形成されてい
る。この押下脚部７２の切込部７２ａは、先に説明した図６（ｂ）に示した状態で、円状
鍔部３２の下縁部に相当する位置から上方に向かってこの円状鍔部３２の厚み以上の長さ
を有するように形成されている。
【００４４】
従って、複数個の押下脚部７２のそれぞれを切欠部３３に嵌入させ、リング３４を円状
突起部３１の上縁部に当接させるまで押下げた状態においては、押下脚部７２を切込部７
２ａが形成されている側に回転移動させることができる。押下脚部７２を切込部７２ａの
方向に回転移動させると、切込部７２ａの下端部が周壁部材３０の円状鍔部３２の下縁部
に当接する。
【００４５】
次に以上のように構成された本実施例１の動作を図５ないし図８を用いて説明する。
【００４６】
先ず、固定ナット４に冠着部材２０および周壁部材３０を装着する場合には、図５（ａ
）〜（ｃ）に示したように、従来例と同様に固定ナット４に冠着部材２０を装着した状態
にしてから、周壁部材３０を装着する。この周壁部材３０の装着過程においては、リング
３４および係合環部材３５は冠着部材２０に当接した状態で周壁部材３０内を上方向に移
動する。
【００４７】
このようにして固定ナット４に装着された冠着部材２０および周壁部材３０を外す場合
には、図６（ａ）に示したように、装着解除具７０の取手部７３を手で持ち、押下脚部７
２の位置を切欠部３３の位置に合わせた状態にして、周壁部材３０内に停止するまで挿入
する。押下脚部７２を挿入した後、図７（ａ）に示したように、切込部７２ａが形成され
ている側の方向（Ａ方向）に、本体７１を停止するまで回転移動させて図７（ｂ）に示し
た状態にする。この図７（ｂ）に示した状態においては、切込部７２ａの下端部が円状鍔
部３２の下縁部に当接した状態となっている。この状態、すなわち図６（ｂ）に示した状
態においては、リング３４の内面に押圧されて周壁部材用係止爪２４，２５は内側に移動
しており、この周壁部材用係止爪２４，２５と円状突起部３１とは係合状態から係合解除
状態に移行している。
【００４８】
この係合解除状態、すなわち図８（ａ）に示した状態で装着解除具７０を固定ナット４
から離す方向に移動させると、リング３４と係合環部材３５とは周壁部材３０の移動に伴
って固定ナット４から離れる方向に移動する。そして、係合環部材３５が、冠着部材２０
の上端部付近まで移動すると、係合環部材３５の係合突起部３５ａが冠着部材２０と係合
して、この冠着部材２０が周壁部材３０と共に固定ナット４から離れる方向に移動する（
図８（ｂ）参照）。
【００４９】
この状態で図７に示したように装着解除具７０を固定ナット４から離す方向に移動させ
て、周壁部材３０を外す。外壁部材３０が外れれば、冠着部材２０は固定ナット４から容
易に外すことができ、固定ナット４を外部に露出させることができる。
【００５０】
このように本実施例１においては、周壁部材３０に手を触れることなく周壁部材３０お
よび冠着部材２０を外すことが可能となる。従って固定ナット４が埋設状態であったとし
ても、周壁部材３０および冠着部材２０を容易に外すことができて固定ナット４を外部に
露出させることができる。
【００５１】
以上の説明においては、固定ナット４に本実施例１に係る冠着部材２０と周壁部材３０
とを装着した場合について説明したが、本実施例１に係る冠着部材２０と周壁部材３０と
は、図９に示したような、床Ｆ等の対象物に、この対象物と螺合可能な固定ボルト２で被
固定物５を固定するような場合にも、その固定ボルト２の頭部２ａに装着することができ
る。この場合には、図９の固定ボルト２の頭部２ａを、図３における固定ナット４と見做
せばよい。図９において２ｂはワッシャーである。
【００５２】
なお、以上説明した本実施例１においては、冠着部材２０の冠着用係止爪２３が挿入可
能な空隙Ｓをスペーサ１０によって形成する構成となっているが、先に説明した従来例と
同様に、このスペーサ１０に換えて図１９に示した鍔部材１５を固定ナット４や固定ボル
ト２の頭部２ａと被固定物５の表面との間に配設してもよい。
【実施例２】
【００５３】
図１０は本発明の実施例２の構成を示した斜視図である。本実施例２は装着解除具７０
の構成のみが実施例１とは異なり、その他の構成は実施例１と同一であるので、以下、本
実施例２に係る装着解除具７０の構成および動作について説明し、その他の構成の説明は
省略する。
【００５４】
本実施例２においても、装着解除具７０の本体７１と切込部７２ａを有する押下脚部７
２との構成は実施例１と同様の構成となっている。ここで、本実施例２においては、取手
部７３が主柱部７４を介して本体７１に固定されている。
【００５５】
８０はガイド部材であり、このガイド部材８０は、本体７１および押下脚部７２を収納
可能な円筒状の外筒部８２と天板部８１によって構成されている。天板部８１には主柱部
７４が摺動可能な開口部８１ａが形成されている。天板部８１と取手部７３との間にはコ
イルバネ７５が配設されている。
【００５６】
外筒部８２の内径は周壁部材３０の外径よりも小さな値に選ばれている。また、外筒部
８２の下端部には、その内径の値が周壁部材３０の外径と略等しい値の嵌合部８２ａが形
成されている。即ち、外筒部８２はその下端部が周壁部材３０の上部に嵌合可能な形状と
なるように形成されている。
【００５７】
次に、以上のように構成された本実施例２に係る装着解除具７０の動作について図１２
，図１３，図１４を用いて説明する。
【００５８】
図１２（ａ），（ｂ），（ｃ）は、装着解除具７０の動作を説明するための断面図であ
り、図１３（ａ），（ｂ），（ｃ）は、図１２（ａ），（ｂ），（ｃ）のそれぞれに対応
した装着解除具７０の押下脚部７２と周壁部材３０の切欠部３３との位置関係を示した説
明図である。
【００５９】
先ず、固定ナット４に装着された冠着部材２０および周壁部材３０を外す場合には、図
１２（ａ）に示したように、装着解除具７０の取手部７３を手で持ち、図１２（ｂ）に示
したように、ガイド部材８０の外筒部８２の下端部に形成されている嵌合部８２ａを周壁
部材３０の上部に嵌合させる。
【００６０】
図１２（ｂ）に示した状態で、取手部７３を周壁部材３０の方向にさらに押すと、押下
脚部７２の先端部が周壁部材３０の円状鍔部３２の表面に当接する状態となる。このよう
な状態においては、コイルバネ７５の弾性力により、ガイド部材８０は周壁部材３０の方
向に付勢されている状態となるために、このガイド部材８０が周壁部材３０の上部から外
れるようなことはない。
【００６１】
このようにコイルバネ７５の弾性力に抗して、押下脚部７２の先端部を周壁部材３０の
円状鍔部３２の表面に当接させた状態で、図１３（ｂ）に示したように、取手部７３をＡ
方向に回転させることによって押下脚部７２をＡ方向に回転させると、押下脚部７２が切
欠部３３と一致した位置で、図１２（ｃ）に示したように、押下脚部７２が周壁部材３０
内に挿入され、その後、押下脚部７２の切込部７２ａの下端部が円状鍔部３２の下端部に
当接した状態となる。
【００６２】
押下脚部７２の切込部７２ａの下端部が円状鍔部３２の下端部に当接した状態、すなわ
ち、図１４（ａ）に示した、冠着部材２０の周壁部材用係止爪２４，２５と周壁部材３０
の円状突起部３１との係合が解除されている状態で、取手部７３を固定ナット４から離れ
る方向に移動させれば、図１４（ｂ）に示したように、周壁部材３０および冠着部材２０
を固定ナット４から外すことができる。
【００６３】
このように本実施例２によれば、装着解除具７０にガイド部材８０が配設されているの
で、このガイド部材８０を周壁部材３０の上部に嵌合させれば、周壁部材３０の切欠部３
３が視認しにくい暗い場所等においても、押下脚部７２を切欠部３３に容易に差し込むこ
とができる。
【００６４】
以上説明した実施例２においても、実施例１と同様に、図９に示したような固定ボルト
２の着脱式防犯具として使用することができる。さらに本実施例２においても、スペーサ
１０に換えて図１９に示した鍔部材１５を固定ナット４や固定ボルト２の頭部２ａと被固
定物５の表面との間に配設してもよい。
【図面の簡単な説明】
【００６５】
【図１】本発明の実施例１の構成を示す斜視図である。
【図２】本発明の実施例１の構成を示す断面斜視図である。
【図３】本発明の実施例１の構成を示す断面図である。
【図４】本発明の実施例１の構成の説明図である。
【図５】本発明の実施例１の動作説明図である。
【図６】本発明の実施例１の動作説明図である。
【図７】本発明の実施例１の動作説明図である。
【図８】本発明の実施例１の動作説明図である。
【図９】本発明の実施例１の構成の説明図である。
【図１０】本発明の実施例２の構成を示す斜視図である。
【図１１】本発明の実施例２の内部構成を示す断面斜視図である。
【図１２】本発明の実施例２の動作説明図である。
【図１３】本発明の実施例２の動作説明図である。
【図１４】本発明の実施例２の動作説明図である。
【図１５】従来の固定ナット用防犯具の構成を示す斜視図である。
【図１６】従来の固定ナット用防犯具の構成を示す断面図である。
【図１７】従来の固定ナット用防犯具の説明図である。
【図１８】従来の固定ナット用防犯具の説明図である。
【図１９】従来の固定ナット用防犯具の説明図である。
【図２０】従来の固定ナット用防犯具の説明図である。
【図２１】従来の固定ナット用防犯具の説明図である。
【符号の説明】
【００６６】
２  固定ボルト
２ａ  頭部
２ｂ，４ｂ  ワッシャー
３  ボルト
４  固定ナット
５  被固定物
１０  スペーサ
１１  鍔部
１２  底板部
１３  立上部
１５  鍔部材
２０  冠着部材
２１  天板部
２２  側壁部
２３  冠着用係止爪
２４，２５  周壁部材用係止爪
３０  周壁部材
３１  円状突起部
３２  円状鍔部
３３  切欠部
３４  リング
３５  係合環部材
３５ａ  係合突起部
７０  装着解除具
７１  本体
７２  押下脚部
７２ａ  切込部
７３  取手部
７４  主柱部
７５  コイルバネ
８０  ガイド部材
８１  天板部
８１ａ  開口部
８２  外筒部
８２ａ  嵌合部
Ａ  方向
Ｆ  床
Ｓ  空隙
【図１】
0004542028.tif 000002
【図２】
0004542028.tif 000003
【図３】
0004542028.tif 000004
【図４】
0004542028.tif 000005
【図５】
0004542028.tif 000006
【図６】
0004542028.tif 000007
【図７】
0004542028.tif 000008
【図８】
0004542028.tif 000009
【図９】
0004542028.tif 000010
【図１０】
0004542028.tif 000011
【図１１】
0004542028.tif 000012
【図１２】
0004542028.tif 000013
【図１３】
0004542028.tif 000014
【図１４】
0004542028.tif 000015
【図１５】
0004542028.tif 000016
【図１６】
0004542028.tif 000017
【図１７】
0004542028.tif 000018
【図１８】
0004542028.tif 000019
【図１９】
0004542028.tif 000020
【図２０】
0004542028.tif 000021
【図２１】
0004542028.tif 000022